(57)【要約】【課題】  事業者がサポートしている添付ファイルを携帯電話機に表示可能とし、事業者がサポートしていない添付ファイルのみを他の電子メールアカウントに転送可能な電子メールシステムを提供する。【解決手段】  メールサーバ１は電子メールを受信した後、その電子メールの添付ファイルの種類やサイズをチェックする。メールサーバ１は事業者がサポートしていない添付ファイルが存在した場合、その電子メールの宛先の電子メールアドレスＡを基にデータベース２を検索し、宛先の電子メールアドレスＡを持つ携帯電話機４の利用者が転送して欲しい添付ファイルの条件を設定しているかどうかを確認する。メールサーバ１は、条件が設定されていた場合、条件に合致する添付ファイルを全て添付した転送用の電子メールを作成し、データベース２に登録されていた転送先の電子メールアドレスＢに対して電子メールを送信する。【選択図】      図１
2007334527.tif 000002
【特許請求の範囲】
【請求項１】
携帯電話機宛ての電子メールをメールサーバにて中継する電子メールシステムであって、
前記メールサーバは、前記電子メールに事業者にてサポートされていないファイルが添付されているかを確認する手段と、前記サポートされていないファイルが添付されている場合に当該サポートされていないファイルが予め設定された転送条件に一致するかを確認する手段と、一致することが確認された場合に当該サポートされていないファイルを予め登録された転送先に電子メールとして転送する手段とを有することを特徴とする電子メールシステム。
【請求項２】
前記転送条件は、前記携帯電話機の電子メールアドレス、転送先の電子メールアドレス、転送したいファイルの種類を少なくとも含むことを特徴とする請求項１記載の電子メールシステム。
【請求項３】
前記転送条件を格納する手段を含むことを特徴とする請求項２記載の電子メールシステム。
【請求項４】
前記電子メールに事業者にてサポートされているファイルが添付されている場合に、当該ファイルを前記携帯電話機のソフトウェアにて表示することを特徴とする請求項１から請求項３のいずれか記載の電子メールシステム。
【請求項５】
携帯電話機宛ての電子メールを中継するメールサーバであって、
前記電子メールに事業者にてサポートされていないファイルが添付されているかを確認する手段と、前記サポートされていないファイルが添付されている場合に当該サポートされていないファイルが予め設定された転送条件に一致するかを確認する手段と、一致することが確認された場合に当該サポートされていないファイルを予め登録された転送先に電子メールとして転送する手段とを有することを特徴とするメールサーバ。
【請求項６】
前記転送条件は、前記携帯電話機の電子メールアドレス、転送先の電子メールアドレス、転送したいファイルの種類を少なくとも含むことを特徴とする請求項５記載のメールサーバ。
【請求項７】
前記転送条件を格納する手段を含むことを特徴とする請求項６記載のメールサーバ。
【請求項８】
前記電子メールに事業者にてサポートされているファイルが添付されている場合に、当該ファイルを前記携帯電話機に送信することを特徴とする請求項５から請求項７のいずれか記載のメールサーバ。
【請求項９】
携帯電話機宛ての電子メールをメールサーバにて中継する電子メールシステムに用いる添付ファイル転送サービス方法であって、
前記メールサーバが、前記電子メールに事業者にてサポートされていないファイルが添付されているかを確認する処理と、前記サポートされていないファイルが添付されている場合に当該サポートされていないファイルが予め設定された転送条件に一致するかを確認する処理と、一致することが確認された場合に当該サポートされていないファイルを予め登録された転送先に電子メールとして転送する処理とを実行することを特徴とする添付ファイル転送サービス方法。
【請求項１０】
前記転送条件は、前記携帯電話機の電子メールアドレス、転送先の電子メールアドレス、転送したいファイルの種類を少なくとも含むことを特徴とする請求項９記載の添付ファイル転送サービス方法。
【請求項１１】
前記メールサーバが、前記転送条件を格納する手段を含むことを特徴とする請求項１０記載の添付ファイル転送サービス方法。
【請求項１２】
前記電子メールに事業者にてサポートされているファイルが添付されている場合に、当該ファイルを前記携帯電話機のソフトウェアにて表示することを特徴とする請求項９から請求項１１のいずれか記載の添付ファイル転送サービス方法。
【請求項１３】
携帯電話機宛ての電子メールを中継するメールサーバが実行するプログラムであって、
前記メールサーバの中央処理装置に、前記電子メールに事業者にてサポートされていないファイルが添付されているかを確認する処理と、前記サポートされていないファイルが添付されている場合に当該サポートされていないファイルが予め設定された転送条件に一致するかを確認する処理と、一致することが確認された場合に当該サポートされていないファイルを予め登録された転送先に電子メールとして転送する処理とを実行させるためのプログラム。
【発明の詳細な説明】
【技術分野】
【０００１】
本発明は電子メールシステム、メールサーバ及び添付ファイル転送サービス方法並びにそのプログラムに関し、特に携帯電話機に用いる電子メールサービスに関する。
【背景技術】
【０００２】
近年、携帯電話機においては、電子メールを表示するためのテキスト文表示機能を搭載するものが多くなっており、携帯電話機同士、携帯電話機とパーソナルコンピュータ（以下、パソコンとする）との間で、電子メールを送受信するための電子メールサービスが提供されている。
【０００３】
しかしながら、インタネットを介して送受信される電子メールの中には、テキスト文のみならず、作成時に使用したアプリケーションソフトウェア（以下、アプリケーションとする）でなければ、その内容の表示が正常にできないファイルが添付されたものがある。
【０００４】
携帯電話機の中には、上記の添付ファイルを正常に表示可能なアプリケーションを搭載するものもあるが、市場における軽量化や小型化の要望が強く、しかもアプリケーションの種類が何種類もあるため、必要なアプリケーションを搭載することができず、その大部分は添付ファイルの内容を表示することができない。ましてや、添付ファイルの有無すら確認できない端末もある。
【０００５】
そこで、電子メールサービスとしては、携帯電話機への電子メールに添付ファイルがある場合には、転送先メールサーバに添付ファイルを含んだメールの転送を行い、携帯電話機に対して電子メールのテキスト内容に添付ファイルのファイル名（テキスト文）を追加して通知する方法が提案されている（例えば、特許文献１参照）。
【特許文献１】特開２００１−３０６４７１号公報
【発明の開示】
【発明が解決しようとする課題】
【０００６】
上述した従来の電子メールサービスでは、添付ファイルのサイズが規定より大きい、添付ファイルの種類が規定と異なる、電子メールトータルのサイズが規定より大きい等、事業者がサポートしていない添付ファイルを持つ電子メールについて、事業者がその電子メールの規定外の添付ファイルを電子メール送信者及び受信者の意図によらず、削除してしまうという課題がある。
【０００７】
上記の特許文献１に記載の技術では、この課題について、全ての添付ファイルを転送先メールサーバに転送することで解決することができるが、特定の添付ファイルを正常に表示することができる機種についても、その特定の添付ファイルを転送先メールサーバに転送してしまうこととなり、表示することができる添付ファイルに対しても転送先メールサーバから取得して表示しなければならない。
【０００８】
そこで、本発明の目的は上記の問題点を解消し、事業者がサポートしている添付ファイルを携帯電話機に表示することができ、事業者がサポートしていない添付ファイルのみを他の電子メールアカウントに転送することができる電子メールシステム、メールサーバ及び添付ファイル転送サービス方法並びにそのプログラムを提供することにある。
【課題を解決するための手段】
【０００９】
本発明による電子メールシステムは、携帯電話機宛ての電子メールをメールサーバにて中継する電子メールシステムであって、
前記メールサーバは、前記電子メールに事業者にてサポートされていないファイルが添付されているかを確認する手段と、前記サポートされていないファイルが添付されている場合に当該サポートされていないファイルが予め設定された転送条件に一致するかを確認する手段と、一致することが確認された場合に当該サポートされていないファイルを予め登録された転送先に電子メールとして転送する手段とを備えている。
【００１０】
本発明によるメールサーバは、携帯電話機宛ての電子メールを中継するメールサーバであって、
前記電子メールに事業者にてサポートされていないファイルが添付されているかを確認する手段と、前記サポートされていないファイルが添付されている場合に当該サポートされていないファイルが予め設定された転送条件に一致するかを確認する手段と、一致することが確認された場合に当該サポートされていないファイルを予め登録された転送先に電子メールとして転送する手段とを備えている。
【００１１】
本発明による添付ファイル転送サービス方法は、携帯電話機宛ての電子メールをメールサーバにて中継する電子メールシステムに用いる添付ファイル転送サービス方法であって、
前記メールサーバが、前記電子メールに事業者にてサポートされていないファイルが添付されているかを確認する処理と、前記サポートされていないファイルが添付されている場合に当該サポートされていないファイルが予め設定された転送条件に一致するかを確認する処理と、一致することが確認された場合に当該サポートされていないファイルを予め登録された転送先に電子メールとして転送する処理とを実行している。
【００１２】
本発明によるプログラムは、携帯電話機宛ての電子メールを中継するメールサーバが実行するプログラムであって、
前記メールサーバの中央処理装置に、前記電子メールに事業者にてサポートされていないファイルが添付されているかを確認する処理と、前記サポートされていないファイルが添付されている場合に当該サポートされていないファイルが予め設定された転送条件に一致するかを確認する処理と、一致することが確認された場合に当該サポートされていないファイルを予め登録された転送先に電子メールとして転送する処理とを実行させている。
【００１３】
すなわち、本発明の電子メールシステムは、携帯電話機の電子メールアドレスに対して送信された電子メールの添付ファイルのうち、その携帯電話機の属する事業者がサポートしていないファイルに関して、事前に携帯電話機の利用者から登録された情報を使用し、そのサポートされていないファイルを他の電子メールアカウントに電子メールとして転送している。
【００１４】
より具体的に説明すると、本発明の電子メールシステムでは、電子メールの送信アドレスであるメールアドレスを有する携帯電話機が、事前に、自端末の電子メールアドレス、転送先の電子メールアドレス、転送したい添付ファイルの種類等を指定した転送条件を登録しておき、携帯電話機の電子メールアドレス宛ての電子メールを受信したメールサーバが、まず転送条件を参照し、電子メールアドレスに関する条件を検索し、条件が指定された場合に、その条件を解析して一致が検出された時に、指定された転送先のメールアドレスに対して、指定された添付ファイルを添付する形で電子メールを送信している。
【００１５】
これによって、本発明の電子メールシステムでは、携帯電話機の利用者宛ての電子メールに関して、受信者が失いたくない電子メールに添付されたファイルを全て受信者の望む電子メールアドレスに転送することによって、携帯電話機の利用者の利便性を向上させることが可能となる。
【００１６】
また、本発明の電子メールシステムでは、携帯電話機のサービスを提供する事業者にとって、携帯電話機の利用者の指定する条件を、メールサーバ外部のデータベースに格納することで、その指定された条件に合致するファイルを電子メールとしてすぐに送信してしまうことから、必要以上のデータ保存スペースを用意することなく、携帯電話機の利用者によって魅力的なサービスを提供することが可能となる。
【００１７】
この場合、本発明の電子メールシステムでは、転送条件に当てはまらない電子メール（添付ファイル付き）をそのまま端末に表示させることが可能なため、事業者がサポートしている添付ファイルが携帯電話機にて表示可能となり、事業者がサポートしていない添付ファイルのみを他の電子メールアカウントに転送することが可能となる。
【発明の効果】
【００１８】
本発明は、上記のような構成及び動作とすることで、事業者がサポートしている添付ファイルを携帯電話機に表示することができ、事業者がサポートしていない添付ファイルのみを他の電子メールアカウントに転送することができるという効果が得られる。
【発明を実施するための最良の形態】
【００１９】
次に、本発明の実施例について図面を参照して説明する。図１は本発明の一実施例による電子メールシステムの構成を示すブロック図である。図１において、本発明の一実施例による電子メールシステムは、メールサーバ１，５と、データベース２と、携帯電話機４とから構成されている。
【００２０】
メールサーバ１は携帯電話機４の持つ電子メールアドレス宛ての電子メール３を受信し、その電子メールアドレス宛ての電子メールの添付ファイルから、予め登録された添付ファイルの種類等の転送条件に該当する添付ファイルを取出し、他の電子メールアドレス宛ての電子メールに添付する形で、新規の電子メールを送信する。尚、転送条件は予めデータベース２に登録しておいても、あるいはメールサーバ１で管理される電子メールアドレス毎にメールサーバ１内のテーブル（図示せず）に登録しておいてもよい。メールサーバ５は他のメールアドレス宛ての電子メールを受信するために利用される。
【００２１】
データベース２またはメールサーバ１内のテーブル内には、転送条件として、携帯電話機４から自端末のメールアドレス、転送したい添付ファイルの形式及びサイズ、転送したい他のメールアドレスが登録されており、メールサーバ３から参照、あるいは登録することが可能となっている。尚、転送条件をデータベース２に登録する場合には、事業者のホームページを提供するＷＥＢサーバ（図示せず）を通して行うことも可能である。
【００２２】
携帯電話機４は、携帯電話機４向けの各種サービスを提供する事業者の有するデータベース２に対して、あるいは自端末の電子メールアドレスによる電子メールの送受信を管理するメールサーバ１内のテーブルに対して、パケット通信を利用してアクセスできる機能を有している。また、携帯電話機１には電子メールアドレスＡが付与されているものとする。
【００２３】
携帯電話機４は、パケット通信を利用してメールサーバ１にアクセスすること、あるいはメールサーバ１が携帯電話機４にパケット通信を利用してアクセスすることによって、電子メールアドレスＡ宛ての電子メールを受信することが可能である。
【００２４】
図２は図１のメールサーバ１の構成例を示すブロック図である。図２において、メールサーバ１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域として利用可能な記憶部１３と、ネットワークに接続して他の端末やサーバ等との通信を制御する通信制御部１４とを備えている。
【００２５】
尚、ＣＰＵ１１、メインメモリ１２、記憶部１３、通信制御部１４各々は内部バス１１０に接続されている。また、記憶部１３は上述した転送条件を記憶する転送情報記憶テーブル１３１を備えており、データベース２のみの情報を基に転送条件を判定する場合には転送情報記憶テーブル１３１がなくてもよい。
【００２６】
図３は図１の携帯電話機４の構成例を示すブロック図である。図３において、携帯電話機４はＣＰＵ４１と、ＣＰＵ４１が実行する制御プログラム４２ａを格納するメインメモリ４２と、ＣＰＵ４１が制御プログラム４２ａを実行する際に作業領域として利用可能でかつ他のプログラム等を記憶する記憶部４３と、カメラ４４と、図示せぬ基地局との間の無線通信を制御する通信制御部４５と、表示部４ａとを備えている。
【００２７】
尚、ＣＰＵ４１、メインメモリ４２、記憶部４３、カメラ４４と、通信制御部４５、表示部４ａ各々は内部バス４１０に接続されている。また、記憶部４３は上述した転送条件を記憶する転送情報記憶領域４３１と、カメラ４４で撮影した静止画や動画等を閲覧するためのプログラムであるアプリケーションソフトウェア（以下、アプリケーションとする）４３２とを備えている。さらに、アプリケーション４３２としては、ワードプロセッサソフトウェア、表計算ソフトウェア等がある。
【００２８】
図４は図３の表示部４ａにおける転送条件登録画面の一例を示す図であり、図５は図２の転送情報記憶テーブル１３１の構成例を示す図であり、図６は図１のメールサーバ１の動作を示すフローチャートである。これら図１〜図６を参照して本発明の一実施例による電子メールシステムの動作について説明する。尚、図６に示す処理はメールサーバ１のＣＰＵ１１が制御プログラム１２ａを実行することで実現可能である。
【００２９】
図５において、転送情報記憶テーブル１３１には、携帯利用者メールアドレス（「ａａａ＠ｘｘｘ．ｃｏ．ｊｐ」，「ｃｃｃ＠ｘｘｘ．ｃｏ．ｊｐ」，・・・）と、転送先メールアドレス（「ｂｂｂ＠ｙｙｙ．ｃｏｍ」，「ｄｄｄ＠ｚｚｚ．ｃｏｍ」，・・・）と、条件（転送条件）とを互いに対応付けて格納している。
【００３０】
条件としては、ファイルサイズ（「３００ＫＢｙｔｅ以上」，「なし」，・・・）やファイルの種類（「．ｄｏｃ，．ｐｐｔ」，「．ｄｏｃ」，・・・）等がある。尚、図５では転送情報記憶テーブル１３１の構成例を示しているが、データベース２も同様の構成とする。
【００３１】
電子メールアドレスＡを持つ携帯電話機４の利用者は、まず携帯電話機４を利用して、転送して欲しい添付ファイルの条件として、ファイル名、ファイルサイズ、ファイルの種類等を登録するため、また転送先のメールアドレスＢを登録するために、パケット通信を用いてメールサーバ１やデータベース２、あるいはＷＥＢサーバにアクセスする。以下の説明では、メールサーバ１を介して転送条件記憶テーブル１３１やデータベース２に登録するものとする。
【００３２】
その際、図４に示すように、携帯電話機４の利用者は携帯電話機４の表示部４ａのＧＵＩ（Ｇｒａｐｈｉｃａｌ  Ｕｓｅｒ  Ｉｎｔｅｒｆａｃｅ）画面を介して条件を指定することができる。
メールサーバ１は、携帯電話機４の利用者によって指定された条件を携帯電話機４とのパケット通信によって受信し、その情報をデータとして転送条件記憶テーブル１３１やデータベース２に蓄える。図５に示す構成は、転送条件記憶テーブル１３１やデータベース２に蓄えられた転送条件のデータ例を示している。
【００３３】
メールサーバ１は、電子メールを受信した後に（図６ステップＳ１）、その電子メールの添付ファイルの種類やサイズをチェックする。その際、メールサーバ１は、メールサーバ１を用いる事業者がサポートしていない添付ファイルが存在した場合（図６ステップＳ２）、その電子メールの宛先の電子メールアドレスＡを基に転送条件記憶テーブル１３１やデータベース２を検索し、宛先の電子メールアドレスＡを持つ携帯電話機４の利用者が転送して欲しい添付ファイルの条件を設定しているかどうかを確認する（図６ステップＳ３）。
【００３４】
メールサーバ１は、条件が設定されていた場合、条件に合致する添付ファイルを全て添付した転送用の電子メールを作成し（図６ステップＳ４）、転送条件記憶テーブル１３１やデータベース２に登録されていた転送先の電子メールアドレスＢに対して電子メールを送信する（図６ステップＳ５）。
【００３５】
尚、上記の処理で合致することがなかった場合、メールサーバ１は、通常（既存）の電子メール処理を行う。つまり、携帯電話機４では、テキスト文を表示するとともに、アプリケーション４３２で正常に表示可能な添付ファイル（例えば、他の携帯電話機からの静止画や動画）があれば、それらを表示する。
【００３６】
このように、本実施例では、携帯電話機４の利用者宛ての電子メールに関して、受信者が失いたくない電子メールに添付されたファイルを全て受信者の望む転送先のメールアドレスＢに転送することによって、携帯電話機４の利用者の利便性を向上させることができるという効果がある。
【００３７】
また、本実施例では、携帯電話機４のサービスを提供する事業者にとって、携帯電話機４の利用者の指定する条件を格納するデータベース２等を必要とするが、その指定された条件に合致するファイルについて、電子メールとしてすぐに転送先に送信してしまうことから、必要以上のデータ保存スペースを用意することなく、携帯電話機４の利用者に対して魅力的なサービスを提供することができるという効果がある。
【００３８】
さらに、本実施例では、電子メールの受信者が転送する添付ファイルの条件を指定する際に、パケット通信だけではなく、音声通信や事業者の販売店舗による登録を可能とする。その際には、サービスを提供する事業者のオペレータや店舗スタッフが、携帯電話機４の利用者の指定する条件を特定の端末を介してデータベース２等に格納することを可能とする。これによって、本実施例では、サービスの提供範囲が拡張され、携帯電話機４の利用者の利便性をより向上させることが可能となる。
【００３９】
よって、本実施例では、事業者がサポートしている添付ファイルを携帯電話機４に表示することができ、事業者がサポートしていない添付ファイルのみを他の電子メールアカウント（転送先のメールサーバ５）に転送することができる。
【図面の簡単な説明】
【００４０】
【図１】本発明の一実施例による電子メールシステムの構成を示すブロック図である。
【図２】図１のメールサーバの構成例を示すブロック図である。
【図３】図１の携帯電話機の構成例を示すブロック図である。
【図４】図３の表示部における転送条件登録画面の一例を示す図である。
【図５】図２の転送情報記憶テーブルの構成例を示す図である。
【図６】図１のメールサーバの動作を示すフローチャートである。
【符号の説明】
【００４１】
１，５  メールサーバ
２  データベース
３  電子メール
４  携帯電話機
４ａ  表示部
１１，４１  ＣＰＵ
１２，４２  メインメモリ
１２ａ，４２ａ  制御プログラム
１３，４３  記憶部
１４  通信制御部
４４  カメラ
４５  無線通信制御部
１１０，４１０  内部バス
１３１  転送情報記憶テーブル
４３１  転送情報記憶領域
４３２  アプリケーションソフトウェア
【図１】
2007334527.tif 000003
【図２】
2007334527.tif 000004
【図３】
2007334527.tif 000005
【図４】
2007334527.tif 000006
【図５】
2007334527.tif 000007
【図６】
2007334527.tif 000008